(57)【要約】【課題】  内視鏡洗浄機の開閉蓋に噴射ノズルを多数備えることで、洗浄作業の効率を向上し、内視鏡の内外部に残存する消毒液又は洗浄液を完全に除去するマルチ噴射ノズル付き内視鏡洗浄機を提供する。【解決手段】  消毒液供給管、洗浄液供給管、洗浄液・エア噴射管、消毒液噴射管、洗浄槽、及びリミットセンサで構成されたマルチ噴射ノズル付き内視鏡洗浄機において、洗浄液が流入されて噴射される多数の洗浄液噴射管路、及び多数の洗浄液噴射管路に備えられた多数の洗浄液噴射ノズルと、エアが流入されて噴射される多数のエア噴射管路及び多数のエア噴射管路に備えられた多数のエア噴射ノズルとを含んで構成された噴射手段を含み、この構成により、洗浄作業の時間を短縮し、洗浄及び乾燥効率を向上することができ、異物が除去され難い内視鏡の内部管を効率的に洗浄するだけでなく、残存する消毒液または洗浄液を完全に除去する。【選択図】図２
2009254781.tif 000002
【特許請求の範囲】
【請求項１】
洗浄液供給部、消毒液供給部、エア供給部、及び超音波発生部を内装した洗浄機本体と、
前記洗浄機本体の上部に洗浄対象内視鏡を納めるように上部が開口した洗浄空間であって、開閉可能な蓋が結合され、前記洗浄空間の底面の一側には排水口が形成された洗浄槽と、
前記消毒液供給部に連結され、前記洗浄槽に消毒液を供給し、前記洗浄槽の一側面に備えられた消毒液供給管と、
前記洗浄液供給部に連結され、前記洗浄槽に洗浄液を供給し、前記消毒液供給管の側方に備えられた洗浄液供給管と、
前記洗浄液供給部及び前記エア供給部に連結され、それぞれ制御により、前記洗浄対象内視鏡の内部管に洗浄液及びエアをそれぞれ供給し、前記洗浄液供給管の側方に備えられた洗浄液・エア噴射管と、
前記消毒液供給部に連結され、前記洗浄対象内視鏡の内部管に消毒液を供給し、前記洗浄液・エア噴射管の側方に備えられた消毒液噴射管と、
供給された消毒液又は洗浄液の液面位置を感知し、前記洗浄槽内の前記消毒液噴射管の側方に備えられたリミットセンサと、
前記超音波発生部の制御により駆動され、前記洗浄対象内視鏡に音波を伝達して消毒し、前記洗浄槽の底面の中央部に備えられた超音波振動子と、
前記洗浄液供給部から洗浄液が流入されて噴射される多数の洗浄液噴射管路、及び前記多数の洗浄液噴射管路に備えられた多数の洗浄液噴射ノズルと、前記エア供給部からエアが流入されて噴射される多数のエア噴射管路、及び前記多数のエア噴射管路に備えられた多数のエア噴射ノズルとから構成された噴射手段を含む前記洗浄機の蓋と、
前記洗浄液供給部、前記消毒液供給部、前記エア供給部、前記超音波発生部、及び前記噴射手段の作動を選択的に制御する制御部とを含むことを特徴とするマルチ噴射ノズル付き内視鏡洗浄機。
【請求項２】
前記多数の洗浄液噴射管路は、洗浄液分枝管及び洗浄液供給ホースを通じて、相互連通していることを特徴とする請求項１に記載のマルチ噴射ノズル付き内視鏡洗浄機。
【請求項３】
前記多数のエア噴射管路は、エア分枝管及びエア供給ホースを通じて、相互連通していることを特徴とする請求項１に記載のマルチ噴射ノズル付き内視鏡洗浄機。
【請求項４】
前記洗浄槽の一側面には、前記消毒液噴射管に連通する流入孔が形成されることを特徴とする請求項１に記載のマルチ噴射ノズル付き内視鏡洗浄機。
【請求項５】
前記内視鏡の内部管に流入される洗浄液とエアは、ソレノイドバルブにより順次制御されることを特徴とする請求項１に記載のマルチ噴射ノズル付き内視鏡洗浄機。
【請求項６】
前記噴射手段は、洗浄槽の側面部の上部に固定付着されることを特徴とする請求項１乃至請求項５のいずれか一項に記載のマルチ噴射ノズル付き内視鏡洗浄機。
【請求項７】
洗浄機本体と、
前記洗浄機本体の上部に洗浄対象内視鏡を納めるように上部が開口した洗浄空間であって、開閉可能な蓋が結合され、前記洗浄空間の底面の一側には排水口が形成された洗浄槽と、
前記洗浄槽に消毒液を供給する消毒液供給管と、
前記洗浄槽に洗浄液を供給する洗浄液供給管と、
前記洗浄対象内視鏡の内部管に洗浄液及びエアをそれぞれ供給する洗浄液・エア噴射管と、
前記洗浄対象内視鏡の内部管に消毒液を供給する消毒液噴射管と、
供給された消毒液又は洗浄液の液面位置を感知するリミットセンサと、
前記洗浄対象内視鏡に音波を伝達して消毒する超音波振動子と、
洗浄液が流入されて噴射される多数の洗浄液噴射管路、及び前記多数の洗浄液噴射管路に備えられた多数の洗浄液噴射ノズルと、エアが流入されて噴射される多数のエア噴射管路、及び前記多数のエア噴射管路に備えられた多数のエア噴射ノズルとから構成された噴射手段を含む前記蓋と
を備えることを特徴とするマルチ噴射ノズル付き内視鏡洗浄機。
【請求項８】
前記多数の洗浄液噴射管路は、洗浄液分枝管及び洗浄液供給ホースを通じて、相互連通していることを特徴とする請求項７に記載のマルチ噴射ノズル付き内視鏡洗浄機。
【請求項９】
前記多数のエア噴射管路は、エア分枝管及びエア供給ホースを通じて、相互連通していることを特徴とする請求項７に記載のマルチ噴射ノズル付き内視鏡洗浄機。
【請求項１０】
前記噴射手段は、洗浄槽の側面部の上部に固定付着されることを特徴とする請求項７乃至請求項９のいずれか一項に記載のマルチ噴射ノズル付き内視鏡洗浄機。
【発明の詳細な説明】
【技術分野】
【０００１】
本発明は、内視鏡洗浄機に関し、内視鏡洗浄機の開閉蓋に噴射ノズルを多数備えることで、上方から下方へ洗浄液及びエアを噴射供給することができるようにして、洗浄作業の効率を向上し、内視鏡の内外部に残存する消毒液又は洗浄液を完全に除去するように構成されたマルチ噴射ノズル付き内視鏡洗浄機に関する。
【背景技術】
【０００２】
内視鏡は、患者の人体内に挿入され、患部を施術する医療器具であって、内視鏡の使用後は、必ず、消毒及び洗浄してから再使用しなければならない。
【０００３】
このような必要性から、内視鏡洗浄機に関する多大な研究がなされ、また、多くの内視鏡洗浄機が、資料等を通じて紹介されている。
【０００４】
従来の内視鏡洗浄機は、内部の中心部に、回転棒と、内視鏡を固定する網とが設けられており、水と消毒液が注入される注入口と排水口が備えられた洗浄槽が上部に形成されているところ、洗浄槽内に設けられた網に、回転棒を中心として内視鏡を巻いて固定してから、水を注入し、回転棒を高速で回転させて洗浄、排水した後、消毒液を注入して高速で回転させる過程を、２〜３回繰り返して洗浄した。
【０００５】
ところが、このような従来の内視鏡洗浄機は、洗浄の際、水を入れて使用するものであるので、排水しても、内視鏡の内外部に異物が付いていることがあり、また、回転棒を高速で回転させても、その洗浄力が不十分であり、何回も繰り返して洗浄及び消毒することから、資源が無駄になるという問題があった。
【０００６】
また、このような問題点を解決するために、図１に示した他の従来の内視鏡洗浄機１００は、容器の動作状態をコントロールするコントロールボックス１１０と、消毒液及び水・空気を用いて内視鏡を洗浄・消毒・防水チェックをするように洗浄水が供給され、洗浄液が噴射される洗浄液噴射装置１２０、内視鏡が載置される内視鏡据置台１３０、空気・水洗浄アダプタ１４０、防水チェック用水供給管１５０、薬液供給管１６０、消毒液及び水感知センサ１７０から構成されるチャンバ部と、洗浄液供給用モータの駆動により、回転ノズルとメインフォルダを介して、内視鏡の内外部を洗浄する洗浄液を供給する洗浄液貯留筒と、消毒液供給用モータの駆動により、消毒液排水口とメインフォルダを介して、内視鏡の内外部を消毒する消毒液を供給する消毒液貯留筒と、消毒液貯留筒から供給された消毒液が、セッティング消毒時間が経過すると、自動で消毒液貯留筒に貯留され、再使用できるように制御する消毒液制御部と、内視鏡内のチャンネルに残留している洗浄液を除去するように用いられる高圧ポンプと、チャンバ中に貯留している消毒液を更に消毒液貯留筒に回収・排出させる電動バルブと、電動バルブのオン・オフにより、電動バルブを制御する流速センサとを備えて、洗浄・消毒・防水チェックが可能となっている。
【０００７】
しかし、このような従来の内視鏡洗浄機は、洗浄槽中心の洗浄液噴射装置の側面に形成された３、４つのノズルを通じて、水をスプリンクラーのように噴射して洗浄するものであって、側面から噴射される水の噴射距離及び噴射圧により、一定部分のみを洗浄するようになるなど、洗浄力が不十分であり、かつ、この洗浄機も、洗浄の際、水を入れて使用するものであるので、排水しても、内視鏡に異物が付いているという問題があった。
【０００８】
また、このような従来の内視鏡洗浄機は、洗浄機に供給された消毒液が、セッティング消毒時間が経過すると、自動で消毒液貯留筒に回収されて再使用できるような構造となっている。勿論、このような消毒液の再使用構造は、消毒液が高価ということから発明されたものであり、内視鏡の内外部を洗浄・乾燥していたとしても、内視鏡に付いているタンパク質の残渣などの異物が洗浄されることなく、残っていることが多い。したがって、これを除去するために、消毒液で消毒した場合、使用済の消毒液に異物などが残るという問題がある。
【０００９】
このように、使用済の消毒液に、内視鏡に付いていた異物が残っており、また、内視鏡が人体内に挿入される医療機器であるということを考えると、深刻な問題を引き起こすこともある。これを防止するためには、使用済の消毒液は廃棄し、常時、新しい消毒液を使用しなければならない。
【００１０】
また、従来の内視鏡洗浄機は、洗浄及び消毒の後、内視鏡を洗浄槽から取り出して、洗浄機の外部に別に備えられたエアーガンに内視鏡を嵌めて乾燥させる構造を有する。このように別の乾燥機を用いて乾燥することは煩わしいだけでなく、乾燥過程で内視鏡の外部に異物が付着することになるという問題がある。
【００１１】
また、従来の内視鏡洗浄機は、内視鏡内に形成された細い吸込管を洗浄し、乾燥することに問題があった。
【００１２】
【特許文献１】韓国実用新案登録第２０−０２６２６３５号明細書
【発明の開示】
【発明が解決しようとする課題】
【００１３】
本発明は、前記の問題点を解決するためになされたものであって、内視鏡洗浄機において、内視鏡の開閉蓋に多数の噴射ノズルを備えることで、上方から下方へ洗浄液及びエアを噴射供給することができるようにして、洗浄作業の効率を向上し、内視鏡の内部に残存する異物、消毒液及び洗浄液を完全に除去するように構成されたマルチ噴射ノズル付き内視鏡洗浄機を提供することにある。
【課題を解決するための手段】
【００１４】
前記目的を達成するため、本発明は、洗浄液供給部、消毒液供給部、エア供給部、及び超音波発生部を内装した洗浄機本体と、前記洗浄機本体の上部に洗浄対象内視鏡を納めるように上部が開口した洗浄空間であって、開閉可能な蓋が結合され、前記洗浄空間の底面の一側には排水口が形成された洗浄槽と、前記消毒液供給部に連結され、前記洗浄槽に消毒液を供給し、前記洗浄槽の一側面に備えられた消毒液供給管と、前記洗浄液供給部に連結され、前記洗浄槽に洗浄液を供給し、前記消毒液供給管の側方に備えられた洗浄液供給管と、前記洗浄液供給部及び前記エア供給部に連結され、それぞれ制御により、洗浄対象内視鏡の内部管に洗浄液及びエアをそれぞれ供給し、前記洗浄液供給管の側方に備えられた洗浄液・エア噴射管と、前記消毒液供給部に連結され、前記洗浄対象内視鏡の内部管に消毒液を供給し、前記洗浄液・エア噴射管の側方に備えられた消毒液噴射管と、供給された消毒液又は洗浄液の液面位置を感知し、前記洗浄槽内の前記消毒液噴射管の側方に備えられたリミットセンサと、前記超音波発生部の制御により駆動され、洗浄対象内視鏡に音波を伝達して消毒し、前記洗浄槽の底面の中央部に備えられた超音波振動子と、前記洗浄液供給部から洗浄液が流入されて噴射される多数の洗浄液噴射管路、及び前記多数の洗浄液噴射管路に備えられた多数の洗浄液噴射ノズルと、前記エア供給部からエアが流入されて噴射される多数のエア噴射管路、及び前記多数のエア噴射管路に備えられた前記多数のエア噴射ノズルとから構成された噴射手段を含む前記洗浄機の蓋と、前記洗浄液供給部、前記消毒液供給部、前記エア供給部、前記超音波発生部、及び前記噴射手段の作動を選択的に制御する制御部とを含むことを特徴とする。
【００１５】
また、前記多数の洗浄液噴射管路は、洗浄液分枝管及び洗浄液供給ホースを通じて、相互連通している。
【００１６】
更に、前記多数のエア噴射管路は、エア分枝管及びエア供給ホースを通じて、相互連通している。
【００１７】
なお、前記洗浄槽の一側面には、前記消毒液噴射管に連通する流入孔が形成される。
【００１８】
前記洗浄対象内視鏡の内部管に流入される洗浄液とエアは、ソレノイドバルブにより順次制御される。
【００１９】
前記噴射手段は、洗浄槽の側面部の上部に固定付着されることが望ましい。
【００２０】
また、本発明は、洗浄機本体と、前記洗浄機本体の上部に洗浄対象内視鏡を納めるように上部が開口した洗浄空間であって、開閉可能な蓋が結合され、前記洗浄空間の底面の一側には排水口が形成された洗浄槽と、前記洗浄槽に消毒液を供給する消毒液供給管と、前記洗浄槽に洗浄液を供給する洗浄液供給管と、前記洗浄対象内視鏡の内部管に洗浄液及びエアをそれぞれ供給する洗浄液・エア噴射管と、前記洗浄対象内視鏡の内部管に消毒液を供給する消毒液噴射管と、供給された消毒液又は洗浄液の液面位置を感知するリミットセンサと、前記洗浄対象内視鏡に音波を伝達して消毒する超音波振動子と、洗浄液が流入されて噴射される多数の洗浄液噴射管路、及び前記多数の洗浄液噴射管路に備えられた多数の洗浄液噴射ノズルと、エアが流入されて噴射される多数のエア噴射管路、及び前記多数のエア噴射管路に備えられた多数のエア噴射ノズルとから構成された噴射手段を含む前記蓋とを備えることを特徴とする。
【００２１】
また、前記多数の洗浄液噴射管路は、洗浄液分枝管及び洗浄液供給ホースを通じて、相互連通している。
【００２２】
更に、前記多数のエア噴射管路は、エア分枝管及びエア供給ホースを通じて、相互連通している。
【００２３】
前記噴射手段は、洗浄槽の側面部の上部に固定付着されることが望ましい。
【発明の効果】
【００２４】
本発明によるマルチ噴射ノズル付き内視鏡洗浄機は、上方から下方へ洗浄液又はエアを直接噴射供給することができ、洗浄作業の時間を短縮することができ、且つ洗浄及び乾燥効率を向上することができるという効果がある。
【００２５】
また、本発明による内視鏡洗浄機は、異物が除去され難い内視鏡の内部管を効率よく洗浄し、また、残存する消毒液又は洗浄液を完全に除去することができる。
【発明を実施するための最良の形態】
【００２６】
以下、本発明の実施例を図２乃至図５を参照して、詳細に説明すると、以下の通りである。
【００２７】
図２は、本発明によるマルチ噴射ノズル付き内視鏡洗浄機の斜視図、図３は、図２の噴射ノズル部の拡大斜視図、図４の（ａ）及び（ｂ）は、洗浄液及びエアが噴射される状態を示した概略図、図５は、内視鏡の概略図である。
【００２８】
図２に示したように、本発明のマルチ噴射ノズル付き内視鏡洗浄機２００は、下胴２２０、洗浄槽２１０、蓋２３０に備えられた噴射手段３００、及び制御部７００から構成される。
【００２９】
洗浄機の下胴２２０内には、図示していないが、洗浄液供給部、エア供給部、供給される洗浄液とエアの圧力を増加させるポンプ、消毒液供給部、超音波発生部、内視鏡の内部管に流入される洗浄液及び／又はエアを順次制御するソレノイドバルブなどが含まれている。
【００３０】
洗浄槽２１０は、洗浄機ボディの上部に洗浄対象の内視鏡を納めるように上部が開口した洗浄空間であって、開閉可能な蓋が結合され、洗浄空間の底面の一側には排水口が形成されており、洗浄槽２１０内には、消毒液供給管２１２、洗浄液供給管２１３、Ｗ／Ａ噴射管２１４、消毒液噴射管２１５、及びリミットセンサ２１８が備えられる。
【００３１】
消毒液供給管２１２及び洗浄液供給管２１３は、洗浄槽２１０内に、必要により、消毒液及び洗浄液を供給するためのもので、洗浄槽２１０の下胴内の消毒液供給部（図示せず）、及び洗浄液供給部（図示せず）とそれぞれ連結されている。ここで、’Ｗ’及び’Ａ’はそれぞれ、洗浄液、及びエアを示す。
【００３２】
Ｗ／Ａ噴射管２１４は、図５に示した内視鏡６００の注入ポート６２１に連結され、内視鏡６００の内部管路に洗浄液及びエアを噴射して内部管路を洗浄及び乾燥するためのものであって、洗浄機の下胴２２０に備えられた洗浄液供給部（図示せず）、及びエア供給部（図示せず）と連結されており、ソレノイドバルブとチェックバルブの制御により、洗浄及び乾燥が制御される。
【００３３】
消毒液噴射管２１５は、内視鏡６００の注入ポート６２２に連結され、内視鏡の内部管に消毒液が供給されるようにし、洗浄槽２１０内の一側面に形成された流入孔２１６に連通されている。
【００３４】
内視鏡内部の管路がその長さに比べて直径の寸法が小さいことにより毛細管現象が生じることとなるが、このような毛細管現象のみでは、内視鏡を洗浄液及び消毒液に浸しておいたとき、内視鏡の管路全体に洗浄液及び消毒液が注入されず、結果として、内視鏡の内部管路がきれいに洗浄及び消毒されないことから、内視鏡内部の管路を噴射管２１４、２１５を介して洗浄液及び消毒液を供給して洗浄及び消毒を行うものである。
【００３５】
リミットセンサ２１８は、供給された消毒液及び／又は洗浄液の液面位置を感知する。
【００３６】
また、洗浄槽２１０内部の底面には、音波の振動により、内視鏡６００の表面及び内部管の異物を除去する超音波振動子４００を具備する。
【００３７】
前記超音波振動子４００は、洗浄機２００の下胴２２０内に備えられた超音波発生部の制御により、駆動される。
【００３８】
また、洗浄槽２１０内部の底面の一側には、排水口（図示せず）を具備して、洗浄液及び消毒液が排水されるようにする。
【００３９】
噴射手段３００は、上方から下方へ洗浄液又はエアを噴射するように、蓋２３０に固定付着されるもので、多数の洗浄液噴射ノズル３１２を備えた多数の洗浄液噴射管路３１０と、多数のエア噴射ノズル３２２を備えた多数のエア噴射管路３２０とから構成される。ここで、多数の洗浄液噴射ノズル３１２、エア噴射ノズル３２２は、蓋２３０の他に、洗浄槽２１０の両側面部の上部側に形成してもよい。また、本発明では、各噴射管路毎に、図２及び図３には３基（図４には５基）の噴射ノズルを示したが、これに限定するものではない。
【００４０】
多数の洗浄液噴射ノズル３１２、エア噴射ノズル３２２におけるノズルの形態は、図３及び図４に示したように、洗浄液・エアを一定の角度で広がるように噴射する形態で構成される。これは、下方に位置する内視鏡６００に洗浄液及びエアを噴射する際、内視鏡全体に洗浄液及びエアが供給できるようにして、内視鏡に付いている異物を効率的に除去して乾燥するためである。
【００４１】
多数の洗浄液噴射管路３１０は、洗浄液分枝管３１４と洗浄液供給ホース３１６とを通じて相互連通するように構成され、洗浄液供給部（図示せず）から洗浄液を供給される。また、多数のエア噴射管路３２０は、エア分枝管３２４とエア供給ホース３２６とを通じて相互連通するように構成され、エア供給部（図示せず）からエアを供給される。
【００４２】
このような洗浄液とエアの供給は、制御部で制御される。
【００４３】
また、多数の噴射管路及び多数のノズルを備えることで、洗浄及び乾燥にかかる時間が短縮され、洗浄機の寸法により大きさが限定されるモータに依って噴射圧力が小さくても、洗浄及び乾燥効率が高くなる。
【００４４】
このような洗浄液供給部、消毒液供給部、エア供給部からの洗浄液、消毒液及び、エアの供給は、制御部の制御で行われ、また、超音波発生部から超音波振動子の振動、及び噴射手段の選択的な作動も、制御部の制御で行われる。
【００４５】
また、従来の内視鏡洗浄機には、使用済の消毒液を再使用することができるように、消毒液貯留筒（図示せず）が備えられているが、本発明による内視鏡洗浄機には、別途の消毒液貯留筒を備えることなく、使用済の消毒液は、排水口を介して排水する。
【００４６】
このような本発明の構成は、コストの高い消毒液を使用することなく、最近開発されている、安価でありながらも既存の消毒液と同じ効果を奏する、新しい消毒液を使用するからである。
【００４７】
このような構成を有する本発明の作用を説明すると、以下の通りである。
【００４８】
本発明のマルチ噴射ノズル付き内視鏡洗浄機は、洗浄槽に収納可能な全ての医療機器の洗浄が可能であるが、以下では、内視鏡を一実施例として、内視鏡の洗浄過程を説明する。
【００４９】
まず、一般の内視鏡６００の構成は、図５に示したように、作動制御のための吸込スイッチ６３２と、視認用接眼部６３１とが備えられた内視鏡本体６３０、内視鏡本体６３０に連結され、患者の体内に挿入されるフレキシブル６１０、フレキシブル６１０の端部に連結され、各種の補助装置及び注入ポート６２１、６２２が連結される補助装置部６２０から構成される。
【００５０】
このような構成の使用済の内視鏡６００を、洗浄槽２１０の内に備えられた籠５００に収納した後、Ｗ／Ａ噴射管２１４及び消毒液噴射管２１５を、内視鏡６００の注入ポート６２１及び注入ポート６２２にそれぞれ連結する。
【００５１】
以後、蓋をして制御部７００の制御により、洗浄機２００を作動させる。
【００５２】
まず、ポンプの駆動により、洗浄液供給部から洗浄液が、洗浄液供給ホース３１６を介して、多数の洗浄液噴射管路３１０に供給される。そして、洗浄液噴射管路３１０に供給された洗浄液は、図３に示したように、洗浄液噴射管路３１０に形成された洗浄液噴射ノズル３１２を介して、下方に洗浄液を噴射する。この際、排水口（図示せず）は、開放した状態を維持する。また、同時に、Ｗ／Ａ噴射管２１４を介して、洗浄液を、内視鏡６００の注入ポート６２１にも供給する。
【００５３】
強力に噴射される洗浄液により、内視鏡６００の内外部に付いていた異物は、効率的に除去され、排水口を介して排出される。
【００５４】
その後、排水口を密閉し、洗浄槽２１０内に、消毒液供給部及び洗浄液供給部から消毒液供給管２１２及び洗浄液供給管２１３を介して、それぞれ消毒液と洗浄液を、内視鏡６００が浸すように充填して希釈させる。この際、投入される適正量は、リミットセンサ２１８により感知される。
【００５５】
この際、洗浄槽２１０の内部の一側面に形成された流入孔２１６を介して流入された消毒液が、内視鏡６００の注入ポート６２２に連結された消毒液噴射管２１５を介して噴射され、内視鏡６００の内部管に消毒液が供給される。
【００５６】
ここで、内視鏡６００の内部管に消毒液が流入され、内視鏡の内部管に流入された消毒液が管路を介して、洗浄槽内の消毒液として流出されるように、別途の制御装置を具備することもできる。また、消毒液供給部から直接、消毒液噴射管２１５を介して、内視鏡６００の内部管に消毒液が流入されるように構成しても良いことは勿論のことである。
【００５７】
このように消毒液を供給して消毒する過程中に、超音波発生部を稼動させる。この際、発生された超音波により、超音波振動子４００が振動しながら、内視鏡６００の内外部に付いていたタンパク質などの異物を効率的に除去する。
【００５８】
消毒過程が終了すると、次に、洗浄過程を経る。
【００５９】
即ち、ポンプの駆動により、洗浄液供給部から洗浄液を洗浄液供給ホース３１６を介して多数の洗浄液噴射管路３１０に供給し、洗浄液噴射管路３１０に形成された洗浄液噴射ノズル３１２を介して下方に洗浄液を噴射する。この時、排水口は開放する。また、同時に、Ｗ／Ａ噴射管２１４を介して、洗浄液を内視鏡６００の注入ポート６２１にも供給する。
【００６０】
強力に噴射される洗浄液により、内視鏡６００の内外部に付いていた消毒液及び異物は効率的に除去され、排水口を介して排出される。
【００６１】
洗浄過程が終了した後、乾燥のため、ポンプを駆動させて、エア供給部からエアを、エア供給ホース３２６を介して、多数のエア噴射管路３２０に供給する。
【００６２】
多数のエア噴射管路３２０に供給されたエアは、図４に示したように、エア噴射管路３２０に形成されたエア噴射ノズル３２２を介して、下方にエアを噴射する。また、同時に、Ｗ／Ａ噴射管２１４を介して、エアは、内視鏡６００の注入ポート６２１にも供給される。この際、内視鏡６００の内部管に流入される洗浄液及び／又はエアは、ソレノイドバルブにより、順次制御される。
【００６３】
このように、強力に噴射されるエアにより、内視鏡６００の内外部は、効率的に乾燥される。
【００６４】
上述した構成の本発明による内視鏡洗浄機を具備することで、上方から下方へ洗浄液又はエアを直接噴射供給することができるので、洗浄作業の時間を短縮することができ、また、効率を向上することができ、内視鏡内に残存する消毒液又は洗浄液を完全に除去することができる。
【００６５】
本発明は、図面を参照して実施例を参考として説明したが、これは例示に過ぎず、当該分野における通常の知識を有する者であれば、これから多様な変形及び均等な実施例が可能であることを理解される。したがって、本発明の真正な技術的保護範囲は、添付の特許請求の範囲の技術思想により決められるべきである。
【図面の簡単な説明】
【００６６】
【図１】従来の内視鏡洗浄機の斜視図である。
【図２】本発明によるマルチ噴射ノズル付き内視鏡洗浄機の斜視図である。
【図３】図２の噴射ノズル部の拡大斜視図である。
【図４】（ａ）及び（ｂ）はそれぞれ、洗浄液及びエアが噴射される状態を示した概略図である。
【図５】内視鏡の概略図である。
【符号の説明】
【００６７】
１００  内視鏡洗浄機
１１０  コントロールボックス
１２０  洗浄液噴射装置
１３０  内視鏡据置台
１４０  空気・水洗浄アダプタ
１５０  防水チェック用水供給管
１６０  薬液供給管
１７０  消毒液及び水感知センサ
２００  内視鏡洗浄機
２１０  洗浄槽
２１２  消毒液供給管
２１３  洗浄液供給管
２１４  Ｗ／Ａ噴射管
２１５  消毒液噴射管
２１６  流入孔
２１８  リミットセンサ
２２０  下胴
２３０  蓋
３００  噴射手段
３１０  洗浄液噴射管路
３１２  洗浄液噴射ノズル
３１４  洗浄液分枝管
３１６  洗浄液供給ホース
３２０  エア噴射管路
３２２  エア噴射ノズル
３２４  エア分枝管
３２６  エア供給ホース
４００  超音波振動子
５００  籠
６００  内視鏡
６１０  フレキシブル
６２０  補助装置部
６２１、６２２  注入ポート
６３０  内視鏡本体
６３１  視認用接眼部
６３２  吸込スイッチ
７００  制御部
【図１】
2009254781.tif 000003
【図２】
2009254781.tif 000004
【図３】
2009254781.tif 000005
【図４】
2009254781.tif 000006
【図５】
2009254781.tif 000007